(57)【要約】【課題】基板とフレキシブル導電部材との接続操作及び接続解除操作が容易であるとともに、部品点数の削減及び構造の簡素化を図ることができる、電気コネクタを提供する。【解決手段】電気コネクタ１は、ハウジング１１と、ハウジング１１に対してスライド移動して相対変位可能な状態で保持されるコンタクト１２と、を備える。コンタクト１２は、基板接続部３１と、フレキシブル導電部材１０１の先端部分１０１ｃで露出した導体１０１ａに接触して電気的に接続されるバネ接点部３２と、を含む。ハウジング１１は、導体１０１ａをバネ接点部３２との間で挟み込んで導体１０１ａとバネ接点部３２とを接触させる導体挟持用内壁部２３を含む。ハウジング１１及びコンタクト１２には、ハウジング１１及びコンタクト１２の一方が他方に対してスライド移動する範囲を規制するスライド範囲規制機構３３が設けられている。【選択図】        図８
2019129054.tif 000002
【特許請求の範囲】
【請求項１】
導体及び前記導体の周囲を被覆する絶縁被覆を有するフレキシブル導電部材と基板とを接続する電気コネクタであって、
ハウジングと、前記ハウジングに対してスライド移動して相対変位可能な状態で当該ハウジングに保持されるコンタクトと、を備え、
前記コンタクトは、前記基板に接続される基板接続部と、前記フレキシブル導電部材の先端部分で露出した前記導体に対して接触して電気的に接続されるバネ接点部と、を含み、
前記ハウジングは、前記コンタクトに対して所定の位置に位置した状態で当該ハウジングに挿入された前記フレキシブル導電部材の先端部分の前記導体を前記バネ接点部との間で挟み込んで前記導体と前記バネ接点部とを接触させる導体挟持用内壁部を含み、
前記ハウジング及び前記コンタクトには、前記ハウジング及び前記コンタクトの一方が他方に対して相対変位してスライド移動する範囲を規制するスライド範囲規制機構が設けられていることを特徴とする、電気コネクタ。
【請求項２】
請求項１に記載の電気コネクタであって、
前記ハウジングは、前記コンタクトが前記基板に接続された状態で、前記コンタクトに対して相対変位して係止することで前記コンタクト及び前記基板に対する当該ハウジングの相対位置を第１位置と第２位置とにそれぞれ位置決めするための位置決め部を含み、
前記第１位置は、前記所定の位置として構成されるとともに、前記ハウジングに前記フレキシブル導電部材の先端部分が挿入されるための位置として構成され、
前記第２位置は、前記ハウジングから前記フレキシブル導電部材の先端部分が抜き出されるための位置として構成され、前記第１位置に対して、前記ハウジングが前記基板から離間し、前記導体挟持用内壁部と前記バネ接点部とが離間した位置として構成されていることを特徴とする、電気コネクタ。
【請求項３】
請求項２に記載の電気コネクタであって、
前記位置決め部は、第１部分と第２部分とを有し、
前記第１部分が前記コンタクトに当接して係止した状態で、前記ハウジングが前記コンタクト及び前記基板に対して前記第１位置に位置決めされ、
前記第１位置の状態から前記ハウジングが前記基板から離間する方向に向かって前記コンタクトに対してスライド移動して相対変位し、前記導体挟持用内壁部が前記バネ接点部から離間した状態で、前記第２部分が前記コンタクトに当接して係止し、前記ハウジングが前記コンタクト及び前記基板に対して前記第２位置に位置決めされることを特徴とする、電気コネクタ。
【請求項４】
請求項３に記載の電気コネクタであって、
前記位置決め部は、
前記ハウジングの内部に設けられていて前記コンタクト側に向かって凸状に隆起するとともに、前記ハウジングが前記コンタクトに対して相対変位してスライド移動する方向であるスライド移動方向と平行に延びる頭頂面が設けられた隆起部と、
前記隆起部の側方に配置されていて前記頭頂面にかけて前記スライド移動方向に対して斜めに延びる斜面と、を含み、
前記斜面は前記第１部分に含まれ、前記頭頂面は前記第２部分に含まれ、
前記斜面と前記頭頂面とは、前記スライド移動方向に沿って並ぶように配置され、
前記斜面が、前記頭頂面に対して、前記基板から離れた側に配置されていることを特徴とする、電気コネクタ。
【請求項５】
請求項２乃至請求項４のいずれか１項に記載の電気コネクタであって、
前記スライド範囲規制機構は、前記ハウジングに設けられた第１係合部と、前記コンタクトに設けられた第２係合部とを含み、
前記第２係合部は、前記ハウジングが前記基板から離間する方向に向かって前記コンタクトに対して前記第１位置の状態からスライド移動して相対変位して前記第２位置の状態に到達した際に前記第１係合部に当接して係合するように構成されていることを特徴とする。電気コネクタ。
【発明の詳細な説明】
【技術分野】
【０００１】
本発明は、導体及びその導体の周囲を被覆する絶縁被覆を有するフレキシブル導電部材と基板とを接続する電気コネクタに関する。
【背景技術】
【０００２】
従来より、導体及びその導体の周囲を被覆する絶縁被覆を有するフレキシブル導電部材と基板とを接続する際には、電気コネクタが用いられている。このような電気コネクタとして、例えば、特許文献１に開示されたものが知られている。
【０００３】
特許文献１に開示された電気コネクタは、コンタクト（通電金具３）と、板バネ（５）と、ハウジング（端子本体１）と、スライド部材（板バネ可動体７）と、を備えて構成されている。
【０００４】
コンタクトは、基板に対してはんだ付けによって接続される接続端子（４）を有するとともに、フレキシブル導電部材としての電線（１０）の先端部分で露出した導体（裸線部分１０ａ）に対して接触して電気的に接続されるように、構成されている。板バネは、電線の先端部分の導体をコンタクトに押し付けて導体とコンタクトとを接触させるバネ部材として設けられている。
【０００５】
ハウジングは、絶縁性材料で構成されてコンタクトと板バネとを保持する本体部材として設けられている。スライド部材は、ハウジングに対してスライド移動自在に取り付けられ、ハウジングに電線の先端部分の導体が挿入された状態でスライド移動操作されることで板バネを押圧して導体を板バネとコンタクトとの間で挟み込んで導体とコンタクトとを接触させる部材として設けられている。
【０００６】
特許文献１の電気コネクタによって基板とフレキシブル導電部材である電線とが接続される際には、まず、コンタクトが基板に対してはんだ付けにて接続される。そして、コンタクトを保持したハウジングが、コンタクトとともに基板に設置される。次いで、ハウジングに対して電線の先端部分の導体が挿入され、導体がコンタクトと板バネとの間に挿入される。この状態で、スライド部材をハウジングに対して挿入する方向にスライド移動させるスライド操作が行われる。このスライド操作が行われると、スライド部材によって板バネが押圧され、電線の先端部分の導体がコンタクトと板バネとの間で挟み込まれ、導体とコンタクトとが接触して電気的に接続される。これにより、基板と電線との接続が完了する。
【０００７】
一方、基板と電線との接続を解除する際には、スライド部材をハウジングに挿入する方向とは逆方向であってハウジングから突出させる方向にスライド部材をスライド移動させるスライド操作が行われる。このスライド操作が行われると、スライド部材による板バネの押圧が解除され、コンタクトと板バネとによる電線の先端部分の導体の挟み込みが解除される。これにより、電線をコンタクトと板バネとの間から抜き出すことが可能な状態となる。そして、電線が、コンタクトと板バネとの間から抜き出されるとともに、ハウジングから抜き出されることで、基板と電線との接続が解除される。
【先行技術文献】
【特許文献】
【０００８】
【特許文献１】実開平６−４４０３１号公報
【発明の概要】
【発明が解決しようとする課題】
【０００９】
特許文献１に開示された電気コネクタによると、フレキシブル導電部材の先端部分の導体をハウジングに挿入してスライド部材のスライド操作を行うことで、導体とコンタクトとを電気的に接続することができる。即ち、スライド部材の操作により、フレキシブル導電部材を板バネで挟み込んでフレキシブル導電部材とコンタクトとの十分な接圧を確保した状態で、フレキシブル導電部材とコンタクトとを電気的に接続することができる。これにより、容易に基板とフレキシブル導電部材とを接続することができる。そして、特許文献１の電気コネクタによると、基板とフレキシブル導電部材との接続を解除する際にも、スライド部材のスライド操作を行うことで、板バネによる導体の挟み込みを解除し、フレキシブル導電部材を電気コネクタから抜き出すことができる。これにより、容易に基板とフレキシブル導電部材との接続を解除することができる。
【００１０】
しかしながら、特許文献１に開示された電気コネクタによると、コンタクトとは別体で設けられた板バネが必要であるとともに、ハウジングとは別体で設けられたスライド部材が必要となる。このため、部品点数の増大を招くとともに、構造の複雑化を招いてしまうことになる。
【００１１】
本発明は、上記実情に鑑みることにより、基板とフレキシブル導電部材との接続操作及び接続解除操作が容易であるとともに、部品点数の削減及び構造の簡素化を図ることができる、電気コネクタを提供することを目的とする。
【課題を解決するための手段】
【００１２】
（１）上記目的を達成するための本発明のある局面に係る電気コネクタは、導体及び前記導体の周囲を被覆する絶縁被覆を有するフレキシブル導電部材と基板とを接続する電気コネクタに関する。そして、本発明のある局面に係る電気コネクタは、ハウジングと、前記ハウジングに対してスライド移動して相対変位可能な状態で当該ハウジングに保持されるコンタクトと、を備え、前記コンタクトは、前記基板に接続される基板接続部と、前記フレキシブル導電部材の先端部分で露出した前記導体に対して接触して電気的に接続されるバネ接点部と、を含み、前記ハウジングは、前記コンタクトに対して所定の位置に位置した状態で当該ハウジングに挿入された前記フレキシブル導電部材の先端部分の前記導体を前記バネ接点部との間で挟み込んで前記導体と前記バネ接点部とを接触させる導体挟持用内壁部を含み、前記ハウジング及び前記コンタクトには、前記ハウジング及び前記コンタクトの一方が他方に対して相対変位してスライド移動する範囲を規制するスライド範囲規制機構が設けられていることを特徴とする。
【００１３】
この構成によると、ハウジングに対してスライド移動して相対変位可能に保持されたコンタクトが、その基板接続部にて基板に接続されることにより、電気コネクタが基板に接続される。これにより、電気コネクタは、コンタクトが基板に対して固定されるとともに、ハウジングがコンタクト及び基板に対して相対変位可能な状態で、基板に対して設置される。
【００１４】
次いで、上記のように基板に接続された電気コネクタに対して、フレキシブル導電部材が接続される。電気コネクタとフレキシブル導電部材との接続操作は、コンタクト及び基板に対して相対変位可能なハウジングをコンタクトに対して所定の位置に位置させた状態で行われる。ハウジングがコンタクトに対して所定の位置に位置した状態で、フレキシブル導電部材の先端部分が、ハウジングに挿入される。ハウジングに挿入されたフレキシブル導電部材の先端部分の導体は、ハウジングの導体挟持用内壁部とコンタクトのバネ接点部との間に挿入される。このとき、バネ接点部は、バネ性を有しており、フレキシブル導電部材の導体との接触に伴って弾性変形する。このため、導体挟持用内壁部とバネ接点部との間に挿入されたフレキシブル導電部材の導体は、バネ接点部のバネ力によって押圧され、導体挟持用内壁部とバネ接点部との間で挟み込まれて十分な接圧が確保された状態でバネ接点部と接触し、コンタクトと電気的に接続される。
【００１５】
上述のように、上記の構成の電気コネクタによると、ハウジングとコンタクトとが、互いにスライド移動して相対変位可能に設けられ、更に、コンタクトにバネ接点部が設けられている。そして、ハウジングをコンタクトに対して所定の位置に位置させ、導体挟持用内壁部とバネ接点部との間でフレキシブル導電部材の先端部分の導体を挟み込んで保持することが可能な状態で、フレキシブル導電部材の先端部分の導体がハウジングに挿入される。この挿入に伴い、バネ接点部が弾性変形し、十分な接圧が確保された状態で、フレキシブル導電部材の導体とバネ接点部とが接触し、フレキシブル導電部材とコンタクトとが電気的に接続される。これにより、容易に基板とフレキシブル導電部材とを接続することができる。
【００１６】
また、上記の構成の電気コネクタによると、ハウジングとコンタクトとが、互いにスライド移動して相対変位可能に設けられている。このため、電気コネクタにフレキシブル導電部材が接続された状態で、ハウジングをコンタクトに対してスライド移動させて、ハウジングをコンタクト及び基板に対して相対変位させることができる。よって、基板とフレキシブル導電部材との接続を解除する際には、ハウジングがコンタクトに対して所定の位置に対応する位置に位置して導体挟持用内壁部とバネ接点部との間でフレキシブル導電部材の先端部分の導体が挟み込まれて保持された状態から、ハウジングをコンタクトに対してスライド移動させることができる。そして、ハウジングを所定の位置に対応する位置から変位させ、ハウジングの導体挟持用内壁部をコンタクトのバネ接点部から離間させることができる。これにより、バネ接点部を弾性回復させて導体挟持用内壁部とバネ接点部との間でフレキシブル導電部材の先端部分の導体を挟み込んだ状態を解除し、フレキシブル導電部材を電気コネクタから抜き出すことができる。これにより、容易に基板とフレキシブル導電部材との接続を解除することができる。
【００１７】
また、ハウジング及びコンタクトには、ハウジングとコンタクトとが相対変位してスライド移動する範囲を規制するスライド範囲規制機構が設けられている。このため、基板とフレキシブル導電部材との接続を解除するために、ハウジングをコンタクトに対してスライド移動させて所定の位置に対応する位置から変位させる際に、スライド範囲規制機構によって、ハウジングがコンタクトから抜けてしまうことを防止することができる。よって、基板とフレキシブル導電部材との接続解除操作の際に、ハウジングとコンタクトとが分離して操作性が阻害されてしまうことが無く、接続解除操作を容易に行うことができる。
【００１８】
また、上述のように、上記の構成の電気コネクタによると、ハウジングとコンタクトとが互いにスライド移動して相対変位可能に設けられ、コンタクトにバネ接点部が設けられ、ハウジング及びコンタクトにスライド範囲規制機構が設けられている。このため、基板とフレキシブル導電部材との接続操作及び接続解除操作が容易な電気コネクタの構成を、ハウジングとコンタクトとを用いて実現でき、接続操作及び接続解除操作の容易化を図るための他の部品或いは部材を必要とせずに実現することができる。よって、上記の構成の電気コネクタは、特許文献１に開示された電気コネクタにおいて必要とされる部品或いは部材、即ち、コンタクトとは別体で設けられた板バネとハウジングとは別体で設けられたスライド部材とを必要とすることが無い。これにより、上記の構成の電気コネクタによると、部品点数を削減し、構造の簡素化を図ることができる。
【００１９】
従って、上記の構成によると、基板とフレキシブル導電部材との接続操作及び接続解除操作が容易であるとともに、部品点数の削減及び構造の簡素化を図ることができる、電気コネクタを提供することができる。
【００２０】
（２）前記ハウジングは、前記コンタクトが前記基板に接続された状態で、前記コンタクトに対して相対変位して係止することで前記コンタクト及び前記基板に対する当該ハウジングの相対位置を第１位置と第２位置とにそれぞれ位置決めするための位置決め部を含み、前記第１位置は、前記所定の位置として構成されるとともに、前記ハウジングに前記フレキシブル導電部材の先端部分が挿入されるための位置として構成され、前記第２位置は、前記ハウジングから前記フレキシブル導電部材の先端部分が抜き出されるための位置として構成され、前記第１位置に対して、前記ハウジングが前記基板から離間し、前記導体挟持用内壁部と前記バネ接点部とが離間した位置として構成されていてもよい。
【００２１】
この構成によると、コンタクト及び基板に対して相対変位するハウジングにおいて、コンタクトに対してハウジングを第１位置及び第２位置の２つの位置で位置決めさせる位置決め部が設けられる。そして、第１位置では、ハウジングにフレキシブル導電部材の先端部分が挿入されてフレキシブル導電部材と電気コネクタとが接続され、第２位置では、ハウジングからフレキシブル導電部材の先端部分が抜き出されてフレキシブル導電部材と電気コネクタとの接続が解除される。このため、コンタクトにスライド移動するハウジングをコンタクトに係止して位置決めさせた状態で、容易に、フレキシブル導電部材と電気コネクタとの接続操作及び接続解除操作を行うことができる。
【００２２】
（３）前記位置決め部は、第１部分と第２部分とを有し、前記第１部分が前記コンタクトに当接して係止した状態で、前記ハウジングが前記コンタクト及び前記基板に対して前記第１位置に位置決めされ、前記第１位置の状態から前記ハウジングが前記基板から離間する方向に向かって前記コンタクトに対してスライド移動して相対変位し、前記導体挟持用内壁部が前記バネ接点部から離間した状態で、前記第２部分が前記コンタクトに当接して係止し、前記ハウジングが前記コンタクト及び前記基板に対して前記第２位置に位置決めされてもよい。
【００２３】
この構成によると、位置決め部に第１部分と第２部分との２つの部分が設けられる。そして、第１部分がコンタクトに当接して係止した状態では、ハウジングが第１位置で位置決めされる。更に、第１位置の状態からハウジングが基板から離間する方向に向かってコンタクトに対してスライド移動すると、第２部分がコンタクトに当接して係止する。第２部分がコンタクトに当接して係止した状態では、導体挟持用内壁部がバネ接点部から離間し、ハウジングが第２位置で位置決めされる。よって、ハウジングがコンタクトに対してスライド移動して基板に対して相対変位する際にコンタクトに対して異なる位置で当接して係止する２つの部分（第１部分、第２部分）を設けた簡素な位置決め部の構成で、第１位置と第２位置との２つの位置でハウジングをコンタクト及び基板に対して容易に位置決めすることができる。
【００２４】
（４）前記位置決め部は、前記ハウジングの内部に設けられていて前記コンタクト側に向かって凸状に隆起するとともに、前記ハウジングが前記コンタクトに対して相対変位してスライド移動する方向であるスライド移動方向と平行に延びる頭頂面が設けられた隆起部と、前記隆起部の側方に配置されていて前記頭頂面にかけて前記スライド移動方向に対して斜めに延びる斜面と、を含み、前記斜面は前記第１部分に含まれ、前記頭頂面は前記第２部分に含まれ、前記斜面と前記頭頂面とは、前記スライド移動方向に沿って並ぶように配置され、前記斜面が、前記頭頂面に対して、前記基板から離れた側に配置されていてもよい。
【００２５】
この構成によると、ハウジングにおいて、コンタクト側に向かって隆起するとともにスライド移動方向と平行に延びる頭頂面を有する隆起部と、隆起部の側方でスライド移動方向に対して斜めに延びる斜面とを設けることで、位置決め部を構成することができる。よって、スライド移動方向に沿って並んで配置された第１部分の斜面と第２部分の頭頂面とを設けた簡素な構成で、第１位置と第２位置との２つの位置でハウジングをコンタクト及び基板に対して容易に位置決めすることができる位置決め部を構成することができる。
【００２６】
（５）前記スライド範囲規制機構は、前記ハウジングに設けられた第１係合部と、前記コンタクトに設けられた第２係合部とを含み、前記第２係合部は、前記ハウジングが前記基板から離間する方向に向かって前記コンタクトに対して前記第１位置の状態からスライド移動して相対変位して前記第２位置の状態に到達した際に前記第１係合部に当接して係合するように構成されていてもよい。
【００２７】
この構成によると、ハウジングが基板から離間する方向に向かってコンタクトに対して第１位置の状態からスライド移動して相対変位して第２位置の状態に到達した際、ハウジングの第１係合部がコンタクトの第２係合部に当接して係合する。これにより、第１位置の状態と第２位置の状態との間におけるコンタクトとハウジングとの相対的なスライド移動を許容しつつ、コンタクトとハウジングとの相対的なスライド移動範囲を効率よく規制することができる。よって、ハウジングとコンタクトとが第１位置の状態と第２位置の状態との間で相対変位してスライド移動可能なようにそのスライド範囲を規制するスライド範囲規制機構を、ハウジングの第１係合部とコンタクトの第２係合部とを含む簡素な構造により実現することができる。また、スライド範囲規制機構が、ハウジングの第１係合部とコンタクトの第２係合部とを含む簡素な構造のため、コンパクトで省スペースなスライド範囲規制機構を実現することができる。
【発明の効果】
【００２８】
本発明によると、基板とフレキシブル導電部材との接続操作及び接続解除操作が容易であるとともに、部品点数の削減及び構造の簡素化を図ることができる、電気コネクタを提供することができる。
【図面の簡単な説明】
【００２９】
【図１】図１（Ａ）及び図１（Ｂ）は、本発明の一実施の形態に係る電気コネクタを示す斜視図である。
【図２】電気コネクタを介して基板とフレキシブル導電部材とが接続された状態を示す図であって、図２（Ａ）は斜視図であり、図２（Ｂ）は正面図である。
【図３】図３（Ａ）は、電気コネクタの斜視図であって電気コネクタの断面を含む状態で示す図であり、図３（Ｂ）は、図３（Ａ）の一部を拡大して示す図である。
【図４】図４（Ａ）は、電気コネクタの斜視図であって電気コネクタの断面を含む状態で示す図であり、図４（Ｂ）は、図４（Ａ）の一部を拡大して示す図である。
【図５】電気コネクタ及び基板の斜視図であって、電気コネクタ及び基板の断面を含む状態で示す図である。
【図６】電気コネクタにおけるコンタクトを示す図であって、図６（Ａ）は斜視図であり、図６（Ｂ）は平面図であり、図６（Ｃ）は正面図であり、図６（Ｄ）は側面図である。
【図７】電気コネクタ、基板、及びフレキシブル導電部材の斜視図であって、電気コネクタ、基板、及びフレキシブル導電部材の断面を含む状態で示す図である。
【図８】電気コネクタ、基板、及びフレキシブル導電部材の斜視図であって、電気コネクタ、基板、及びフレキシブル導電部材の断面を含む状態で示す図である。
【図９】電気コネクタ、基板、及びフレキシブル導電部材の斜視図であって、電気コネクタ、基板、及びフレキシブル導電部材の断面を含む状態で示す図である。
【図１０】電気コネクタ及び基板の斜視図であって、電気コネクタ及び基板の断面を含む状態で示す図である。
【発明を実施するための形態】
【００３０】
以下、本発明を実施するための形態について図面を参照しつつ説明する。尚、本発明は、導体及びその導体の周囲を被覆する絶縁被覆を有するフレキシブル導電部材と基板とを接続する電気コネクタとして、種々の用途に広く適用することができるものである。
【００３１】
［コネクタの概略］
図１（Ａ）及び図１（Ｂ）は、本発明の一実施の形態に係る電気コネクタ１を示す斜視図である。図２は、電気コネクタ１を介して基板１００とフレキシブル導電部材１０１とが接続された状態を示す図であって、図２（Ａ）は斜視図であり、図２（Ｂ）は正面図である。尚、図１（Ａ）及び図１（Ｂ）は、互いに異なる方向から見た電気コネクタ１の斜視図を示している。また、図２では、基板１００については、電気コネクタ１が接続される部分とその近傍の部分とを切欠き状態で模式的に図示している。また、図２では、フレキシブル導電部材１０１については、フレキシブル導電部材１０１の先端部分を含む部分であって電気コネクタ１に接続される端部側の部分のみを切欠き状態で模式的に図示している。
【００３２】
電気コネクタ１は、基板１００に対して機械的及び電気的に接続されるとともに、フレキシブル導電部材１０１に対しても機械的及び電気的に接続される電気コネクタとして構成されている。これにより、電気コネクタ１は、基板１００とフレキシブル導電部材１０１とを電気的に接続する電気コネクタとして構成されている。
【００３３】
電気コネクタ１が接続される基板１００は、導電回路パターンが表裏面のうちの少なくともいずれか一方に設けられた基板として構成されている。図２では、基板１００における導電回路パターンの図示は省略されている。
【００３４】
電気コネクタ１に接続されるフレキシブル導電部材１０１は、複数の導体１０１ａと、複数の導体１０１ａの周囲を被覆する絶縁被覆１０１ｂとを有し、可撓性を有する導電部材として構成されている。複数の導体１０１ａのそれぞれは、導電性を有する金属線材として構成されている。また、複数の導体１０１ａの周囲を被覆する絶縁被覆１０１ｂは、絶縁性を有するゴム材料などで構成されている。複数の導体１０１ａは、フレキシブル導電部材１０１において、長手方向が互いに平行に延びた状態で配列されている。また、平行に延びる複数の導体１０１ａを被覆する絶縁被覆１０１ｂは、一体に設けられている。このため、フレキシブル導電部材１０１は、複数のケーブルが平行に並んだ状態で一体に設けられたリボンケーブル状の導電部材として構成されている。
【００３５】
尚、図８は、電気コネクタ１、基板１００、及びフレキシブル導電部材１０１の斜視図であって、電気コネクタ１、基板１００、及びフレキシブル導電部材１０１の断面を含む状態で示す図である。図８においては、電気コネクタ１を介して基板１００とフレキシブル導電部材１０１とが接続された状態が図示されている。また、図８では、フレキシブル導電部材１０１については、フレキシブル導電部材１０１の先端部分１０１ｃを含む部分であって電気コネクタ１に接続される端部側の部分のみが切欠き状態で図示されている。
図８に示すように、フレキシブル導電部材１０１は、その先端部分１０１ｃにおいて、複数の導体１０１ａのそれぞれの先端が外部に露出するように、絶縁被覆１０１ｂの一部が剥がされた状態で除去されている。
【００３６】
図３（Ａ）は、電気コネクタ１の斜視図であって電気コネクタ１の断面を含む状態で示す図であり、図３（Ｂ）は、図３（Ａ）の一部を拡大して示す図である。尚、図３（Ｂ）は、図３（Ａ）において一点鎖線の枠線で囲んだ部分を拡大して示す図である。図４（Ａ）は、電気コネクタ１の斜視図であって電気コネクタ１の断面を含む状態で示す図であり、図４（Ｂ）は、図４（Ａ）の一部を拡大して示す図である。尚、図４（Ｂ）は、図４（Ａ）において一点鎖線の枠線で囲んだ部分を拡大して示す図である。図５は、電気コネクタ１及び基板１００の斜視図であって、電気コネクタ１及び基板１００の断面を含む状態で示す図である。尚、図３（Ａ）及び図４（Ａ）に示す電気コネクタ１の断面と、図５に示す電気コネクタ１の断面とは、電気コネクタ１における異なる位置での断面を図示している。
【００３７】
図１乃至図５に示す電気コネクタ１は、フレキシブル導電部材１０１と基板１００とを接続する電気コネクタとして構成されている。そして、電気コネクタ１は、ハウジング１１と、複数のコンタクト１２と、を備えて構成されている。
【００３８】
［ハウジング］
図１乃至図５に示すハウジング１１は、絶縁性を有する樹脂材料で形成され、複数のコンタクト１２を保持するように構成されている。また、ハウジング１１は、複数のコンタクト１２をハウジング１１に対してハウジング１１の高さ方向に沿ってスライド移動して相対変位可能な状態で保持している。また、ハウジング１１は、複数のコンタクト１２がハウジング１１の幅方向に沿って並んだ状態で、複数のコンタクト１２を保持している。
【００３９】
尚、図１（Ａ）及び図３（Ａ）において、ハウジング１１の高さ方向は、両端矢印Ｘ１で図示されており、ハウジング１１の前後方向は、両端矢印Ｘ２で図示されており、ハウジング１１の幅方向は、両端矢印Ｘ３で図示されている。ハウジング１１の高さ方向は、電気コネクタ１の高さ方向となり、ハウジング１１の前後方向は、電気コネクタ１の前後方向となり、ハウジング１１の幅方向は、電気コネクタ１の幅方向となる。
【００４０】
ハウジング１１は、複数のコンタクト１２が並ぶ方向である幅方向に沿って長く延びた直方体状の基本外形を有している。そして、ハウジング１１は、複数のコンタクト保持孔２１、導電部材挿入口２２、複数の導体挟持用内壁部２３、複数の位置決め部２４、等を含んで構成されている。
【００４１】
複数のコンタクト保持孔２１のそれぞれは、複数のコンタクト１２のそれぞれを保持するための孔として設けられている。各コンタクト１２は、ハウジング１１に対して、各コンタクト保持孔２１において挿入された状態で、各コンタクト保持孔２１に保持されている。複数のコンタクト保持孔２１は、ハウジング１１において、ハウジング１１の幅方向に沿って並んで設けられている。また、各コンタクト保持孔２１は、ハウジング１１の高さ方向に沿ってハウジング１１を貫通するように設けられ、複数のコンタクト保持孔２１は、互いに平行に延びるように設けられている。
【００４２】
導電部材挿入口２２は、ハウジング１１において、フレキシブル導電部材１０１の先端部分１０１ｃが挿入される開口として設けられている。導電部材挿入口２２は、ハウジング１１において、その高さ方向における一方の端部側において開口している。また、導電部材挿入口２２は、ハウジング１１において、その幅方向に沿って長方形状に延びるように開口している。フレキシブル導電部材１０１は、その先端部分１０１ｃが導電部材挿入口２２から差し込まれ、ハウジング１１に対して挿入される。フレキシブル導電部材１０１の先端部分１０１ｃがハウジング１１に対して導電部材挿入口２２から挿入されると、後述のように、フレキシブル導電部材１０１の複数の導体１０１ａが複数のコンタクト１２にそれぞれ接触する。これにより、フレキシブル導電部材１０１の各導体１０１ａと各コンタクト１２とが電気的に接続され、フレキシブル導電部材１０１と電気コネクタ１とが電気的に接続されることになる。
【００４３】
複数の導体挟持用内壁部２３は、ハウジング１１の内部に設けられている（図５を参照）。そして、複数の導体挟持用内壁部２３のそれぞれは、ハウジング１１の内部において、複数のコンタクト保持孔２１のそれぞれに対応する位置に設けられている。また、複数の導体挟持用内壁部２３のそれぞれは、ハウジング１１の内部において、柱状に延びる壁部として設けられている。そして、各導体挟持用内壁部２３は、ハウジング１１に保持されたコンタクト１２に対してハウジング１１が所定の位置Ｐ１に位置した状態でハウジング１１に挿入されたフレキシブル導電部材１０１の先端部分１０１ｃの導体１０１ａを後述するコンタクト１２のバネ接点部３２との間で挟み込んで導体１０１ａとバネ接点部３２とを接触させる部分として設けられている。尚、図３（Ａ）及び図５では、ハウジング１１がコンタクト１２に対して所定の位置Ｐ１に位置した状態が図示されている。
【００４４】
複数の位置決め部２４は、ハウジング１１の内部に設けられている（図３乃至５を参照）。そして、位置決め部２４は、ハウジング１１の内部において、コンタクト保持孔２１に対して、一対で対応するように設けられている。即ち、ハウジング１１の内部において、各コンタクト保持孔２１に対応する位置に一対の位置決め部２４が設けられている。尚、ハウジング１１の内部における各コンタクト保持孔２１に対応する位置においては、一対の位置決め部２４の間において、導体挟持用内壁部２３が配置されている。
【００４５】
位置決め部２４は、ハウジング１１において、電気コネクタ１が基板１００に接続された状態でコンタクト１２及び基板１００に対するハウジング１１の相対位置を第１位置と第２位置とにそれぞれ位置決めするための部分として設けられている。より具体的には、位置決め部２４は、ハウジング１１に保持されたコンタクト１２が基板１００に接続された状態で、コンタクト１２に対してハウジング１１が相対変位して係止することでコンタクト１２及び基板１００に対するハウジング１１の相対位置を第１位置Ｐ１と第２位置Ｐ２とにそれぞれ位置決めするための部分として設けられている。
【００４６】
尚、図３（Ａ）は、コンタクト１２に対するハウジング１１の相対位置が第１位置Ｐ１である状態を図示しており、図５は、コンタクト１２及び基板１００に対するハウジング１１の相対位置が第１位置Ｐ１である状態を図示している。尚、第１位置Ｐ１は、前述の所定の位置Ｐ１として構成されている。また、図４（Ａ）は、コンタクト１２に対するハウジング１１の相対位置が第２位置Ｐ２である状態を図示している。
【００４７】
第１位置Ｐ１は、ハウジング１１にフレキシブル導電部材１０１の先端部分１０１ｃが挿入されるための位置として構成されている。そして、第２位置Ｐ２は、ハウジング１１からフレキシブル導電部材１０１の先端部分１０１ｃが抜き出されるための位置として構成されている。また、第２位置Ｐ２は、第１位置Ｐ１に対して、ハウジング１１が基板１００から離間した位置として構成されているとともに、第１位置Ｐ１に対して、ハウジング１１の導体挟持用内壁部２３と後述するコンタクト１２のバネ接点部３２とが離間した位置として構成されている。
【００４８】
また、各位置決め部２４は、ハウジング１１の内部において、電気コネクタ１が基板１００に対して接続された際に基板１００に対して対向する側の端部側に設けられている。尚、電気コネクタ１が基板１００に対して接続された際、ハウジング１１は、基板１００に対して、導電部材挿入口２２が開口する端部側とは反対の端部側において、基板１００に対して対向する。
【００４９】
また、各位置決め部２４は、第１部分２５と第２部分２６とを有している。第１部分２５と第２部分２６とは、ハウジング１１の高さ方向に沿って並んで設けられているとともに、一体に並んで設けられている。また、第２部分２６が、ハウジング１１の内部において、基板１００に対向する端部側に設けられている。そして、第１部分２５が、ハウジング１１の内部において、第２部分２６に対して、導電部材挿入口２２側に設けられている。
【００５０】
第１部分２５は、コンタクト１２に当接して係止されることで、ハウジング１１をコンタクト１２及び基板１００に対して第１位置Ｐ１に位置決めするための部分として設けられている。そして、電気コネクタ１は、第１部分２５がコンタクト１２に当接して係止した状態で、ハウジング１１がコンタクト１２及び基板１００に対して第１位置Ｐ１に位置決めされるように構成されている。
【００５１】
第２部分２６は、コンタクト１２に当接して係止されることで、ハウジング１１をコンタクト１２及び基板１００に対して第２位置Ｐ２に位置決めするための部分として設けられている。そして、電気コネクタ１は、基板１００に接続された状態において、ハウジング１１が第１位置Ｐ１の状態から基板１００から離間する方向に向かってコンタクト１２に対してスライド移動して相対変位し、導体挟持用内壁部２３が後述するコンタクト１２のバネ接点部３２から離間した状態で、第２部分Ｐ２がコンタクト１２に当接して係止し、ハウジング１１がコンタクト１２及び基板１００に対して第２位置Ｐ２に位置決めされるように構成されている。
【００５２】
また、各位置決め部２４は、第２部分２６を構成するとともに頭頂面２８が設けられた隆起部２７と、斜面２９と、を含んで構成されている。斜面２９は、第１部分２５におけるハウジング１１の内部で露出した表層の面の一部として設けられており、第１部分２５に含まれる面として構成されている。頭頂面２８は、第２部分２６である隆起部２７におけるハウジング１１の内部で露出した表層の面の一部として設けられており、第２部分２６に含まれる面として構成されている。
【００５３】
隆起部２７は、ハウジング１１の内部に設けられていてコンタクト１２側に向かって凸状に隆起する部分として設けられている。そして、隆起部２７には、ハウジング１１がコンタクト１２に対して相対変位してスライド移動する方向であるスライド移動方向と平行に延びる面として構成された頭頂面２８が設けられている。尚、上記のスライド移動方向は、電気コネクタ１の高さ方向と平行な方向となる。また、斜面２９は、隆起部２７の側方に配置されていて頭頂面２８にかけて上記のスライド移動方向に対して斜めに延びる面として構成されている。また、斜面２９と頭頂面２８とは、上記のスライド移動方向に沿って並ぶように配置されている。そして、電気コネクタ１においては、電気コネクタ１が基板１００に接続された状態において、斜面２９が、頭頂面２８に対して、基板１００から離れた側に配置されているように、構成されている。
【００５４】
［コンタクト］
図６は、電気コネクタ１におけるコンタクト１２を示す図であって、図６（Ａ）は斜視図であり、図６（Ｂ）は平面図であり、図６（Ｃ）は正面図であり、図６（Ｄ）は側面図である。図１乃至図６に示すコンタクト１２は、導電性を有する金属材料で形成されており、フレキシブル導電部材１０１の導体１０１ａと基板１００とを電気的に接続する要素として設けられている。
【００５５】
コンタクト１２は、電気コネクタ１において複数備えられている。そして、複数のコンタクト１２は、ハウジング１１に対してハウジング１１の高さ方向に沿ってスライド移動して相対変位可能な状態でハウジング１１に保持されている。また、複数のコンタクト１２のそれぞれは、例えばプレス打ち抜き加工により形成された板金が折り曲げられることにより形成されている。そして、複数のコンタクト１２のそれぞれは、本体部３０、基板接続部３１、バネ接点部３２、等を備えて構成されている。本体部３０、基板接続部３１、バネ接点部３２は、一体に設けられている。
【００５６】
本体部３０は、長手方向を有する板状の部分として設けられ、ハウジング１１のコンタクト保持孔２１に挿入されて嵌め込まれる部分として設けられている。コンタクト１２は、ハウジング１１のコンタクト保持孔２１に対して、ハウジング１１の高さ方向における基板１００に対向する側の端部（即ち、導電部材挿入口２２が設けられている端部と反対側の端部）から挿入され、コンタクト保持孔２１においてハウジング１１に保持される。尚、ハウジング１１のコンタクト保持孔２１は、ハウジング１１における基板１００に対向する側の端部において、開口２１ａにて開口している。コンタクト１２は、開口２１ａからコンタクト保持孔２１に挿入され、ハウジング１１に保持される。
【００５７】
また、本体部３０における長手方向に垂直な方向である幅方向の両側には、仮保持用突起３０ａが設けられている。コンタクト１２がハウジング１１に挿入される際には、本体部３０がコンタクト保持孔２１に対してスライド移動可能な状態で嵌め込まれる。そして、本体部３０がコンタクト保持孔２１にスライド移動自在に嵌め込まれた状態では、本体部３０の幅方向の両側の突起３０ａが、コンタクト保持孔２１に対して摺動可能な状態で係止される。これにより、コンタクト１２は、ハウジング１１に対して、スライド移動可能な状態で仮保持された状態となる。このように、電気コネクタ１は、コンタクト１２が、突起３０ａによってハウジング１１に仮保持されている。このため、電気コネクタ１が搬送される際において、コンタクト１２が、ハウジング１１に対して、搬送時に生じる振動によって過度に相対変位してしまうことが抑制される。これにより、電気コネクタ１の搬送時の破損等の発生を抑制することができる。尚、電気コネクタ１は、搬送される際には、例えば、図３（Ａ）に示すように、コンタクト１２に対するハウジング１１の相対位置が第１位置Ｐ１である状態で搬送される。この場合、コンタクト１２は、突起３０ａによってハウジング１１に仮保持されていることに加え、後述のバネ接点部３２の係止部３２ｄが、位置決め部２４の第１部分２５の斜面２９に対して当接し、ハウジング１１と係止している。これにより、電気コネクタ１の搬送の際に、コンタクト１２が、ハウジング１１の高さ方向に沿ってハウジング１１から飛び出してしまうことが防止される。
【００５８】
基板接続部３１は、コンタクト１２において、基板１００に対して実装されて基板１００に接続される部分として設けられている。基板接続部３１は、本体部３０の長手方向における一方の端部側において、本体部３０と一体に設けられている。そして、基板接続部３１は、基板１００に設けられたスルーホール１００ａに対して圧入される（図５を参照）。そして、基板接続部３１は、基板１００のスルーホール１００ａに圧入された状態で、基板１００に対してはんだ付けによって接続される。尚、図５では、基板接続部３１を基板１００に対してはんだ付けによって接続するはんだの図示は省略されている。基板接続部３１が、基板１００に対してスルーホール１００ａにてはんだ付けされることによって、コンタクト１２が、基板１００に対して、電気的及び機械的に接続される。
【００５９】
また、基板接続部３１には、片持ち状に延びるバネ突起３１ａが設けられている。バネ突起３１ａは、本体部３０の長手方向と同じ方向で略直線状に延びる基板接続部３１において、斜めに片持ち状に突出した突起部分として設けられている。基板接続部３１は、基板１００のスルーホール１００ａに挿入されると、バネ突起３１ａが、スルーホール１００ａの内周と当接してスルーホール１００ａの内側に弾性変形して撓むように構成されている。そして、バネ突起３１ａが弾性変形して撓んだ状態で、基板接続部３１のスルーホール１００ａの挿入動作が完了する。これにより、バネ突起３１ａによるバネ力によって基板接続部３１がスルーホール１００ａに圧入された状態となる。これにより、はんだ付けが行われていない状態においても、基板接続部３１が基板１００に対して保持され、コンタクト１２の基板１００からの抜け止めが図られた状態となる。バネ突起３１ａによるバネ力によって基板接続部３１がスルーホール１００ａに圧入された状態で、はんだ付けが行われることで、コンタクト１２が基板１００に対して最終的に接続された状態となる。
【００６０】
バネ接点部３２は、コンタクト１２において、フレキシブル導電部材１０１の先端部分１０１ｃで露出した導体１０１ａに対して接触して電気的に接続される部分として設けられている。また、バネ接点部３２は、ハウジング１１に対して導電部材挿入口２２から挿入されたフレキシブル導電部材１０１の先端部分１０１ｃの導体１０１ａを、ハウジング１１の導体挟持用内壁部２３との間で挟み込んだ状態で、導体１０１ａに接触するように構成されている。
【００６１】
また、バネ接点部３２は、本体部３０の長手方向における他方の端部側において、本体部３０と一体に設けられている。即ち、バネ接点部３２は、本体部３０の長手方向における基板接続部３１が設けられている端部側と反対の端部側において、本体部３０と一体に設けられている。また、バネ接点部３２は、屈曲部３２ａ、板バネ部３２ｂ、接点部３２ｃ、係止部３２ｄ、を備えて構成されている。
【００６２】
屈曲部３２ａは、本体部３０における他方の端部と一体に連続して設けられ、略１８０度に亘って半円弧状に屈曲した部分として設けられている。板バネ部３２ｂは、屈曲部３２ａから連続して板状に延びるとともに屈曲部３２ａから片持ち状に延びる板バネ部分として設けられている。屈曲部３２ａから片持ち状に延びる板バネ部３２ｂの先端側の部分は、本体部３０の長手方向に対して斜めの方向に沿って延びるように設けられている。バネ接点部３２は、上記の屈曲部３２ａ及び板バネ部３２ｂを有していることで、ハウジング１１の導体挟持用内壁部２３との間で導体１０１ａを挟み込むバネ力を発揮するように構成されている。
【００６３】
接点部３２ｃは、バネ接点部３２において、フレキシブル導電部材１０１の先端部分１０１ｃで露出した導体１０１ａに対して接触する部分として設けられている。そして、本実施形態では、接点部３２ｃは、片持ち状に延びる板バネ部３２ｂの先端側の縁部分（エッジ部分）の一部として構成されている。また、フレキシブル導電部材１０１の先端部分１０１ｃがハウジング１１に挿入されて導体１０１ａが導体挟持用内壁部２３とバネ接点部３２との間で挟み込まれる際には、屈曲部３２ａ及び板バネ部３２ｂによって発揮されるバネ力によって、接点部３２ｃが、導体１０１ａに対して押し付けられることになる。
【００６４】
尚、接点部３２ｃは、上記のとおり、片持ち状に延びる板バネ部３２ｂの先端側の縁部分として設けられている。このため、接点部３２ｃは、フレキシブル導電部材１０１の導体１０１ａに対して、十分な接触圧力が確保された状態で強固に接触することができる。これにより、接点部３２ｃと導体１０１ａとの間において、より安定した接続状態を維持することができる。
【００６５】
係止部３２ｄは、ハウジング１１がコンタクト１２に対して第１位置Ｐ１及び第２位置Ｐ２の一方において係止される際にハウジング１１の位置決め部２４に当接してハウジング１１を係止する部分として設けられている。そして、係止部３２ｄは、ハウジング１１がコンタクト１２に対して第１位置Ｐ１にて係止される際には、位置決め部２４の第１部分２５の斜面２９に対して当接してハウジング１１を係止するように構成されている。また、係止部３２ｄは、ハウジング１１がコンタクト１２に対して第２位置Ｐ２にて係止される際には、位置決め部２４の第２部分２６の頭頂面２８に対して当接してハウジング１１を係止するように構成されている。
【００６６】
また、係止部３２ｄは、バネ接点部３２において、一対で設けられており、片持ち状に延びる板バネ部３２ｂの先端側の端部において、幅方向の両側にそれぞれ設けられている。尚、片持ち状に延びる板バネ部３２ｂの先端側の端部においては、板バネ部３２ｂが片持ち状に延びる方向に対して垂直な方向である板バネ部３２ｂの幅方向の両側に向かってそれぞれ突出した部分が設けられている。そして、一対の係止部３２ｄは、板バネ部３２ｂの先端側における幅方向の両側に突出した部分にそれぞれ設けられている。また、片持ち状に延びる板バネ部３２ｂの先端側の部分において、一対の係止部３２ｄは、接点部３２ｃの両側に配置されている。
【００６７】
また、電気コネクタ１は、板バネ部３２ｂの先端側の端部に設けられた一対の係止部３２ｄのそれぞれが、ハウジング１１において各コンタクト保持孔２１に対応する位置に設けられた一対の位置決め部２４のそれぞれに対して当接するように、構成されている。そして、一対の係止部３２ｄは、各コンタクト保持孔２１に対応する位置に設けられた一対の位置決め部２４に対して、第１部分２５及び第２部分２６のうちの同じ部分に対して同時に当接するように構成されている。即ち、電気コネクタ１は、一対の係止部３２ｄにおける一方が、一対の位置決め部２４のうちの一方の第１部分２５に当接する際には、一対の係止部３２ｄにおける他方も、一対の位置決め部２４のうちの他方の第１部分２５に当接するように、構成されている。そして、電気コネクタ１は、一対の係止部３２ｄにおける一方が、一対の位置決め部２４のうちの一方の第２部分２６に当接する際には、一対の係止部３２ｄにおける他方も、一対の位置決め部２４のうちの他方の第２部分２６に当接するように、構成されている。
【００６８】
［スライド範囲規制機構］
電気コネクタ１のハウジング１１及びコンタクト１２には、スライド範囲規制機構３３が設けられている。電気コネクタ１においては、スライド範囲規制機構３３は複数設けられており、電気コネクタ１に備えられる複数のコンタクト１２に対応して設けられている。即ち、電気コネクタ１においては、コンタクト１２の個数と同数のスライド範囲規制機構３３が設けられている。
【００６９】
スライド範囲規制機構３３は、ハウジング１１及びコンタクト１２の一方が他方に対して相対変位してスライド移動する範囲を規制する機構として設けられている。そして、スライド範囲規制機構３３は、ハウジング１１に設けられた第１係合部３４と、コンタクト１２に設けられた第２係合部３５と、を含んで構成されている。
【００７０】
第１係合部３４は、ハウジング１１の内部において、コンタクト保持孔２１に対応する位置に設けられている。このため、第１係合部３４は、ハウジング１１において、コンタクト保持孔２１の個数と同数設けられている。そして、第１係合部３４は、ハウジング１１の内部において、コンタクト保持孔２１の内側に向かって凸状に突出した部分として設けられている。また、第１係合部３４は、コンタクト保持孔２１に挿入されてハウジング１１に保持されたコンタクト１２の第２係合部３５に対して当接して係合可能に設けられている。
【００７１】
第２係合部３５は、コンタクト１２における本体部３０の中央部分の一部が本体部３０の長手方向に沿って片持ち状に切り起こされて形成された部分として設けられている。尚、コンタクト１２は、本体部３０の長手方向が、ハウジング１１の高さ方向に沿って延びた状態で、ハウジング１１に保持されている。このため、コンタクト１２がハウジング１１に保持された状態では、第２係合部３５は、本体部３０において、ハウジング１１の高さ方向に沿って片持ち状に切り起こされた状態で設けられている。また、第２係合部３５は、本体部３０の一部が切り起こされることで、本体部３０の長手方向に対して斜めの方向に沿って片持ち状に延びるように設けられている。このため、第２係合部３５は、本体部３０に対して弾性変形して撓む板バネ状の部分として構成されている。また、本体部３０から片持ち状に延びる第２係合部３５は、本体部３０の長手方向に対して斜めの方向であって基板接続部３１側に向かって延びるように設けられている。
【００７２】
また、第２係合部３５は、基板接続部３１側に向かって片持ち状に延びる先端側の端部において、ハウジング１１の第１係合部３４に対して当接して係合可能に設けられている。そして、第２係合部３５は、電気コネクタ１が基板１００に接続された状態において、ハウジング１１が基板１００から離間する方向に向かってコンタクト１２に対して第１位置Ｐ１の状態からスライド移動して相対変位して第２位置Ｐ２の状態に到達した際に第１係合部３４に当接して係合するように構成されている。
【００７３】
尚、第２係合部３５が設けられたコンタクト１２は、ハウジング１１に対して挿入されて保持されている。コンタクト１２のハウジング１１への挿入の際には、コンタクト１２は、バネ接点部３２側からハウジング１１に挿入される。また、コンタクト１２のハウジング１１への挿入の際には、コンタクト１２は、ハウジング１１における基板１００に対向する側の端部で開口した開口２１ａから、コンタクト保持孔２１に挿入される。コンタクト１２がコンタクト保持孔２１に挿入されると、まず、片持ち状に延びる第２係合部３５の根本側の部分が第１係合部３４と当接し、第２係合部３５は、一旦、本体部３０側に向かって弾性変形して撓む。そして、第２係合部３５が、コンタクト保持孔２１における第１係合部３４が突出している領域を通過すると、本体部３０側に撓んでいた第２係合部３５が、弾性回復し、本体部３０に対して斜めに延びた状態に戻ることになる。この状態では、ハウジング１１が、コンタクト１２に対して、コンタクト１２がコンタクト保持孔２１に挿入された方向と反対方向に沿ってスライド移動すると、第２係合部３５の先端側の端部が、第１係合部３４に当接して係合する。このため、ハウジング１１がコンタクト１２に対して相対変位してスライド移動する範囲が、スライド範囲規制機構３３の第１係合部３４と第２係合部３５との係合によって、規制されることになる。また、これにより、コンタクト１２がハウジング１１から抜けて外れてしまうことが防止されることになる。
【００７４】
［電気コネクタの作動］
次に、上述した電気コネクタ１を用いた基板１００とフレキシブル導電部材１０１との接続操作及び接続解除操作が行われる際における電気コネクタ１の作動について説明する。電気コネクタ１を用いた基板１００とフレキシブル導電部材１０１との接続操作が行われる際には、まず、電気コネクタ１が基板１００に対して接続される。
【００７５】
電気コネクタ１の基板１００への接続の際には、例えば、図３に示すようにハウジング１１が複数のコンタクト１２に対して第１位置Ｐ１に位置決めされた状態で、電気コネクタ１の基板１００への接続が行われる。尚、ハウジング１１が複数のコンタクト１２に対して第２位置Ｐ２に位置決めされた状態で電気コネクタ１の基板１００への接続が行われた場合には、電気コネクタ１へのフレキシブル導電部材１０１の接続の前に、ハウジング１１を第１位置Ｐ１に移動させる操作が行われる。具体的には、電気コネクタ１の基板１００への接続後であって電気コネクタ１へのフレキシブル導電部材１０１の接続の前に、ハウジング１１が複数のコンタクト１２に対して第１位置Ｐ１に位置決めされた状態となるように、ハウジング１１を複数のコンタクト１２に対してスライド移動させる操作が行われる。
【００７６】
電気コネクタ１の基板１００への接続の際には、電気コネクタ１は、各コンタクト１２が基板１００の各スルーホール１００ａに接続されることで、基板１００に対して接続される。そして、各コンタクト１２が各スルーホール１００ａにて基板１００に接続される際には、まず、各コンタクト１２の基板接続部３１が各スルーホール１００ａに挿入される。基板接続部３１がスルーホール１００ａに挿入されると、基板接続部３１のバネ突起３１ａがスルーホール３１ａの内周面に係合し、基板接続部３１が基板１００に圧入された状態となる（図５を参照）。尚、複数のコンタクト１２の基板接続３１の複数のスルーホール１００ａへの圧入は、同時タイミングで行われる。複数のコンタクト１２の複数のスルーホール１００ａへの圧入が終了すると、複数のコンタクト１２の基板接続部３１と基板１００とのはんだ付けが行われる。このはんだ付けが終了することで、電気コネクタ１の基板１００への接続操作が終了することになる。尚、図５においては、基板接続部３１を基板１００に対してはんだ付けによって接続するはんだの図示は省略されている。また、後述する図７乃至図１０においても、基板接続部３１を基板１００に対してはんだ付けによって接続するはんだの図示は省略されている。
【００７７】
尚、電気コネクタ１は、その高さ方向が基板１００の表面に対して垂直に延びた状態で、基板１００に対して接続される。そして、電気コネクタ１は、フレキシブル導電部材１０１が挿入される導電部材挿入口２２が、電気コネクタ１の高さ方向における一方の端部に設けられている。このため、フレキシブル導電部材１０１は、基板１００の表面に対して垂直な方向に沿って電気コネクタ１に挿入されて電気コネクタ１に接続される。
【００７８】
電気コネクタ１の基板１００への接続が終了すると、次いで、基板１００に接続された電気コネクタ１に対するフレキシブル導電部材１０１の接続が行われる。図７及び図８は、電気コネクタ１へのフレキシブル導電部材１０１の接続操作を説明するための図である。また、図７及び図８は、電気コネクタ１、基板１００、及びフレキシブル導電部材１０１の斜視図であって、電気コネクタ１、基板１００、及びフレキシブル導電部材１０１の断面を含む状態で示す図である。
【００７９】
基板１００に接続された電気コネクタ１に対するフレキシブル導電部材１０１の接続操作は、図５に示すように、ハウジング１１がコンタクト１２及び基板１００に対して第１位置Ｐ１に位置決めされた状態で行われる。ハウジング１１が第１位置Ｐ１に位置決めされた状態では、ハウジング１１は、基板１００に対して接近した位置に位置しており、基板１００の表面に対して当接した位置に位置している。より具体的には、ハウジング１１が第１位置Ｐ１に位置決めされた状態では、ハウジング１１は、ハウジング１１の高さ方向における導電部材挿入口２２が設けられた側と反対側の端部において基板１００の表面に当接した位置に位置している。
【００８０】
フレキシブル導電部材１０１は、上記のように、ハウジング１１が第１位置Ｐ１に位置決めされた状態で、電気コネクタ１に接続される。このとき、フレキシブル導電部材１０１は、その先端部分１０１ｃが、導電部材挿入口２２からハウジング１１の内部に挿入される。導電部材挿入口２２から挿入されたフレキシブル導電部材１０１の先端部分１０１ｃは、図７に示すように、ハウジング１１の内部において、導体挟持用内壁部２３とコンタクト１２のバネ接点部３２との間に挿入される。フレキシブル導電部材１０１の先端部分１０１ｃが、導体挟持用内壁部２３とバネ接点部３２との間に挿入されると、先端部分１０１ｃで露出した導体１０１ａとバネ接点部３２とが当接し、バネ接点部３２の板バネ部３２ｂが撓むことになる。そして、フレキシブル導電部材１０１の先端部分１０１ｃの導体１０１ａは、導体挟持用内壁部２３とバネ接点部３２との間で挟み込まれた状態となる。尚、フレキシブル導電部材１０１の導体１０１ａとバネ接点部３２とが当接し、バネ接点部３２の板バネ部３２ｂが撓むと、一対の位置決め部２４の第１部分２５に係止していたバネ接点部３２の一対の係止部３２ｄは、一対の位置決め部２４から離間する。これにより、フレキシブル導電部材１０１の導体１０１ａとバネ接点部３２とが当接した状態では、ハウジング１１の位置決め部２４とコンタクト１２との係止が解除された状態となる。
【００８１】
フレキシブル導電部材１０１の先端部分１０１ｃがハウジング１１の内部の奥まで挿入されると、図８に示すように、フレキシブル導電部材１０１と電気コネクタ１との接続が完了した状態となる。この状態では、ハウジング１１の内部において、フレキシブル導電部材１０１の先端部分１０１ｃの導体１０１ａが、導体挟持用内壁部２３とバネ接点部３２との間で挟み込まれ、バネ接点部３２の接点部３２ｃが導体１０１ａに接触している。そして、バネ接点部３２の接点部３２ｃは、板バネ部３２ｂが弾性変形して撓むことで生じているバネ力によって、導体１０１ａに対して押し付けられた状態で接触している。これにより、コンタクト１２とフレキシブル導電部材１０１の導体１０１ａとが電気的に接続されている。また、フレキシブル導電部材１０１の先端部分１０１ｃがハウジング１１に挿入されてフレキシブル導電部材１０１と電気コネクタ１との接続が完了した状態では、電気コネクタ１の全てのコンタクト１２とフレキシブル導電部材１０１の全ての導体１０１ａとが、同様に、電気的に接続されている。
【００８２】
尚、ハウジング１１には、内部において、フレキシブル導電部材１０１の先端部分１０１ｃにて露出した導体１０１ａの先端部と当接するストッパ３６が設けられている。ストッパ３６は、ハウジング１１へのフレキシブル導電部材１０１の先端部分１０１ｃの挿入量を規制し、ハウジング１１におけるフレキシブル導電部材１０１の先端部分１０１ｃの端部の位置の位置決めを行う部分として設けられている。フレキシブル導電部材１０１と電気コネクタ１とを接続する作業の際には、フレキシブル導電部材１０１の先端部分１０１ｃの端部がストッパ３６に当接する位置まで、フレキシブル導電部材１０１の先端部分１０１ｃのハウジング１１への挿入動作が行われることになる。
【００８３】
上記のように、フレキシブル導電部材１０１の先端部分１０１ｃがハウジング１１へ挿入され、複数のコンタクト１２とフレキシブル導電部材１０１の複数の導体１０１ａとが電気的に接続されることで、フレキシブル導電部材１０１と電気コネクタ１との接続が完了する。そして、電気コネクタ１を介した基板１００とフレキシブル導電部材１０１との接続も完了する。
【００８４】
次に、基板１００とフレキシブル導電部材１０１との接続を解除する接続解除操作の際における電気コネクタ１の作動について説明する。図９及び図１０は、基板１００とフレキシブル導電部材１０１との接続解除操作を説明するための図である。また、図９は、電気コネクタ１、基板１００、及びフレキシブル導電部材１０１の斜視図であって、電気コネクタ１、基板１００、及びフレキシブル導電部材１０１の断面を含む状態で示す図である。そして、図１０は、電気コネクタ１及び基板１００の斜視図であって、電気コネクタ１及び基板１００の断面を含む状態で示す図である。
【００８５】
電気コネクタ１を介して基板１００とフレキシブル導電部材１０１とが接続された図８に示す状態から、基板１００とフレキシブル導電部材１０１との接続解除操作が行われる際には、まず、ハウジング１１をコンタクト１２に対してスライド移動させる操作が行われる。電気コネクタ１と基板１００とが接続された状態では、電気コネクタ１における複数のコンタクト１２は、基板１００に対して相対変位することなく固定された状態で接続されている。この状態で、コンタクト１２に対して相対変位してスライド移動可能なハウジング１１をコンタクト１２に対してスライド移動させる操作が行われる。
【００８６】
上記の操作が行われると、図９に示すように、基板１００に固定されたコンタクト１２に対してハウジング１１がスライド移動し、ハウジング１１が基板１００及びコンタクト１２に対して相対変位することになる。また、フレキシブル導電部材１０１の先端部分１０１ｃの導体１０１ａは、ハウジング１１の内部において、導体挟持用内壁部２３に対して、導体１０１ａの長手方向における十分な長さに亘って接触しており（即ち、ハウジング１１の高さ方向における十分な長さに亘って接触しており）、十分な摩擦力が作用する状態で導体挟持用内壁部２３によって支持されている。このため、ハウジング１１が基板１００及びコンタクト１２に対して相対変位すると、フレキシブル導電部材１０１の先端部分１０１ｃも、ハウジング１１とともに基板１００及びコンタクト１２に対して相対変位した状態となる。尚、電気コネクタ１では、フレキシブル導電部材１０１の先端部分１０１ｃの導体１０１ａは、導体挟持用内壁部２３に加え、ストッパ３６によっても支持されている。このため、ハウジング１１が基板１００及びコンタクト１２に対して相対変位すると、フレキシブル導電部材１０１の先端部分１０１ｃも、基板１００及びコンタクト１２に対してハウジング１１とともにハウジング１１とずれることなく相対変位した状態となる。
【００８７】
また、上記の通り、ハウジング１１のスライド移動操作が行われてハウジング１１が基板１００及びコンタクト１２に対して相対変位すると、フレキシブル導電部材１０１の先端部分１０１ｃもハウジング１１とともに基板１００及びコンタクト１２に対して相対変位する。これにより、ハウジング１１が基板１００から離間するとともに、導体挟持用内壁部２３とバネ接点部３２とが離間し、導体挟持用内壁部２３とバネ接点部３２との間で導体１０１ａが挟み込まれていた状態が解除される。更に、導体１０１ａがバネ接点部３２から外れる位置まで相対移動する。これにより、導体１０１ａとバネ接点部３２との接触が解除される。
【００８８】
また、ハウジング１１のスライド移動操作が行われてハウジング１１が基板１００及びコンタクト１２に対して相対変位すると、ハウジング１１の位置決め部２４の第２部分２６が、コンタクト１２のバネ接点部３２に対して相対変位する。そして、ハウジング１１の位置決め部２４の第２部分２６が、コンタクト１２のバネ接点部３２に対して相対変位するとともに、導体１０１ａとバネ接点部３２との接触が解除された状態では、位置決め部２４の第２部分２６とバネ接点部３２の係止部３２ｄとが係止する。これにより、ハウジング１１が第２位置Ｐ２にて位置決めされ、導体１０１ａとバネ接点部３２との接触が解除された図９に示す状態となる。
【００８９】
図９に示すように、ハウジング１１が第２位置Ｐ２にて位置決めされ、導体１０１ａとバネ接点部３２との接触が解除された状態となると、ハウジング１１の内部において、フレキシブル導電部材１０１の先端部分１０１ｃの電気コネクタ１による拘束が解除された状態となる。このため、基板１００とフレキシブル導電部材１０１との接続解除操作を行う作業者は、ハウジング１１の導電部材挿入口２２からフレキシブル導電部材１０１の先端部分１０１ｃを容易に抜き出すことができる。図１０は、ハウジング１１からフレキシブル導電部材１０１の先端部分１０１ｃが抜き出された状態を示している。ハウジング１１からフレキシブル導電部材１０１の先端部分１０１ｃが抜き出されることで、電気コネクタ１とフレキシブル導電部材１０１との接続が解除され、電気コネクタ１を介した基板１００とフレキシブル導電部材１０１との接続が解除されることになる。
【００９０】
［本実施形態の作用及び効果］
本実施形態によると、ハウジング１１に対してスライド移動して相対変位可能に保持されたコンタクト１２が、その基板接続部３１にて基板１００に接続されることにより、電気コネクタ１が基板１００に接続される。これにより、電気コネクタ１は、コンタクト１２が基板１００に対して固定されるとともに、ハウジング１１がコンタクト１２及び基板１００に対して相対変位可能な状態で、基板１００に対して設置される。
【００９１】
次いで、上記のように基板１００に接続された電気コネクタ１に対して、フレキシブル導電部材１０１が接続される。電気コネクタ１とフレキシブル導電部材１０１との接続操作は、コンタクト１２及び基板１００に対して相対変位可能なハウジング１１をコンタクト１２に対して所定の位置Ｐ１（第１位置Ｐ１）に位置させた状態で行われる。ハウジング１１がコンタクト１２に対して所定の位置Ｐ１に位置した状態で、フレキシブル導電部材１０１の先端部分１０１ｃが、ハウジング１１に挿入される。ハウジング１１に挿入されたフレキシブル導電部材１０１の先端部分１０１ｃの導体１０１ａは、ハウジング１１の導体挟持用内壁部２３とコンタクト１２のバネ接点部３２との間に挿入される。このとき、バネ接点部３２は、バネ性を有しており、フレキシブル導電部材１０１の導体１０１ａとの接触に伴って弾性変形する。このため、導体挟持用内壁部２３とバネ接点部３２との間に挿入されたフレキシブル導電部材１０１の導体１０１ａは、バネ接点部３２のバネ力によって押圧され、導体挟持用内壁部２３とバネ接点部３２との間で挟み込まれて十分な接圧が確保された状態でバネ接点部３２と接触し、コンタクト１２と電気的に接続される。
【００９２】
上述のように、電気コネクタ１によると、ハウジング１１とコンタクト１２とが、互いにスライド移動して相対変位可能に設けられ、更に、コンタクト１２にバネ接点部３２が設けられている。そして、ハウジング１１をコンタクト１２に対して所定の位置Ｐ１に位置させ、導体挟持用内壁部２３とバネ接点部３２との間でフレキシブル導電部材１０１の先端部分１０１ｃの導体１０１ａを挟み込んで保持することが可能な状態で、フレキシブル導電部材１０１の先端部分１０１ｃの導体１０１ａがハウジング１１に挿入される。この挿入に伴い、バネ接点部３２が弾性変形し、十分な接圧が確保された状態で、フレキシブル導電部材１０１の導体１０１ａとバネ接点部３２とが接触し、フレキシブル導電部材１０１とコンタクト１２とが電気的に接続される。これにより、容易に基板１００とフレキシブル導電部材１０１とを接続することができる。
【００９３】
また、電気コネクタ１によると、ハウジング１１とコンタクト１２とが、互いにスライド移動して相対変位可能に設けられている。このため、電気コネクタ１にフレキシブル導電部材１０１が接続された状態で、ハウジング１１をコンタクト１２に対してスライド移動させて、ハウジング１１をコンタクト１２及び基板１００に対して相対変位させることができる。よって、基板１００とフレキシブル導電部材１０１との接続を解除する際には、ハウジング１１がコンタクト１２に対して所定の位置Ｐ１に対応する位置に位置して導体挟持用内壁部２３とバネ接点部３２との間でフレキシブル導電部材１０１の先端部分１０１ｃの導体１０１ａが挟み込まれて保持された状態から、ハウジング１１をコンタクト１２に対してスライド移動させることができる。そして、ハウジング１１を所定の位置Ｐ１に対応する位置から変位させ、ハウジング１１の導体挟持用内壁部２３をコンタクト１２のバネ接点部３２から離間させることができる。これにより、バネ接点部３２を弾性回復させて導体挟持用内壁部２３とバネ接点部３２との間でフレキシブル導電部材１０１の先端部分１０１ｃの導体１０１ａを挟み込んだ状態を解除し、フレキシブル導電部材１０１を電気コネクタ１から抜き出すことができる。これにより、容易に基板１００とフレキシブル導電部材１０１との接続を解除することができる。
【００９４】
また、ハウジング１１及びコンタクト１２には、ハウジング１１とコンタクト１２とが相対変位してスライド移動する範囲を規制するスライド範囲規制機構３３が設けられている。このため、基板１００とフレキシブル導電部材１０１との接続を解除するために、ハウジング１１をコンタクト１２に対してスライド移動させて所定の位置Ｐ１に対応する位置から変位させる際に、スライド範囲規制機構３３によって、ハウジング１１がコンタクト１２から抜けてしまうことを防止することができる。よって、基板１００とフレキシブル導電部材１０１との接続解除操作の際に、ハウジング１１とコンタクト１２とが分離して操作性が阻害されてしまうことが無く、接続解除操作を容易に行うことができる。
【００９５】
また、上述のように、電気コネクタ１によると、ハウジング１１とコンタクト１２とが互いにスライド移動して相対変位可能に設けられ、コンタクト１２にバネ接点部３２が設けられ、ハウジング１１及びコンタクト１２にスライド範囲規制機構３３が設けられている。このため、基板１００とフレキシブル導電部材１０１との接続操作及び接続解除操作が容易な電気コネクタ１の構成を、ハウジング１１とコンタクト１２とを用いて実現でき、接続操作及び接続解除操作の容易化を図るための他の部品或いは部材を必要とせずに実現することができる。よって、本実施形態の電気コネクタ１は、特許文献１に開示された電気コネクタにおいて必要とされる部品或いは部材、即ち、コンタクトとは別体で設けられた板バネとハウジングとは別体で設けられたスライド部材とを必要とすることが無い。これにより、本実施形態の電気コネクタ１によると、部品点数を削減し、構造の簡素化を図ることができる。
【００９６】
従って、本実施形態によると、基板１００とフレキシブル導電部材１０１との接続操作及び接続解除操作が容易であるとともに、部品点数の削減及び構造の簡素化を図ることができる、電気コネクタ１を提供することができる。
【００９７】
また、本実施形態によると、コンタクト１２及び基板１００に対して相対変位するハウジング１１において、コンタクト１２に対してハウジング１１を第１位置Ｐ１及び第２位置Ｐ２の２つの位置で位置決めさせる位置決め部２４が設けられる。そして、第１位置Ｐ１では、ハウジング１１にフレキシブル導電部材１０１の先端部分１０１ｃが挿入されてフレキシブル導電部材１０１と電気コネクタ１とが接続され、第２位置Ｐ２では、ハウジング１１からフレキシブル導電部材１０１の先端部分１０１ｃが抜き出されてフレキシブル導電部材１０１と電気コネクタ１との接続が解除される。このため、コンタクト１２にスライド移動するハウジング１１をコンタクト１２に係止して位置決めさせた状態で、容易に、フレキシブル導電部材１０１と電気コネクタ１との接続操作及び接続解除操作を行うことができる。
【００９８】
また、本実施形態によると、位置決め部２４に第１部分２５と第２部分２６との２つの部分が設けられる。そして、第１部分２５がコンタクト１２に当接して係止した状態では、ハウジング１１が第１位置Ｐ１で位置決めされる。更に、第１位置Ｐ１の状態からハウジング１１が基板１００から離間する方向に向かってコンタクト１２に対してスライド移動すると、第２部分２６がコンタクト１２に当接して係止する。第２部分Ｐ２がコンタクト１２に当接して係止した状態では、導体挟持用内壁部２３がバネ接点部３２から離間し、ハウジング１１が第２位置Ｐ２で位置決めされる。よって、ハウジング１１がコンタクト１２に対してスライド移動して基板１００に対して相対変位する際にコンタクト１２に対して異なる位置で当接して係止する２つの部分（第１部分２５、第２部分２６）を設けた簡素な位置決め部２４の構成で、第１位置Ｐ１と第２位置Ｐ２との２つの位置でハウジング１１をコンタクト１２及び基板１００に対して容易に位置決めすることができる。
【００９９】
また、本実施形態によると、ハウジング１１において、コンタクト１２側に向かって隆起するとともにスライド移動方向と平行に延びる頭頂面２８を有する隆起部２７と、隆起部２７の側方でスライド移動方向に対して斜めに延びる斜面２９とを設けることで、位置決め部２４を構成することができる。よって、スライド移動方向に沿って並んで配置された第１部分２５の斜面２９と第２部分２６の頭頂面２８とを設けた簡素な構成で、第１位置Ｐ１と第２位置Ｐ２との２つの位置でハウジング１１をコンタクト１２及び基板１００に対して容易に位置決めすることができる位置決め部２４を構成することができる。
【０１００】
また、本実施形態によると、ハウジング１１が基板１００から離間する方向に向かってコンタクト１２に対して第１位置Ｐ１の状態からスライド移動して相対変位して第２位置Ｐ２の状態に到達した際、ハウジング１１の第１係合部３４がコンタクト１２の第２係合部３５に当接して係合する。これにより、第１位置Ｐ１の状態と第２位置Ｐ２の状態との間におけるコンタクト１２とハウジング１１との相対的なスライド移動を許容しつつ、コンタクト１２とハウジング１１との相対的なスライド移動範囲を効率よく規制することができる。よって、ハウジング１１とコンタクト１２とが第１位置Ｐ１の状態と第２位置Ｐ２の状態との間で相対変位してスライド移動可能なようにそのスライド範囲を規制するスライド範囲規制機構３３を、ハウジング１１の第１係合部３４とコンタクト１２の第２係合部３５とを含む簡素な構造により実現することができる。また、スライド範囲規制機構３３が、ハウジング１１の第１係合部３４とコンタクト１２の第２係合部３５とを含む簡素な構造のため、コンパクトで省スペースなスライド範囲規制機構３３を実現することができる。
【０１０１】
［変形例］
以上、本発明の実施形態について説明したが、本発明は上述の実施の形態に限られるものではなく、特許請求の範囲に記載した限りにおいて様々な変更が可能なものである。例えば、次のように変更して実施してもよい。
【０１０２】
（１）前述の実施形態では、複数の導体を有するフレキシブル導電部材が接続される電気コネクタの形態を例にとって説明したが、この通りでなくてもよい。１つの導体を有するフレキシブル導電部材が接続される電気コネクタの形態が実施されてもよい。この場合、１つのコンタクトを有する電気コネクタの形態が実施されてもよく、また、複数のコンタクトを有し、１つの導体を有するフレキシブル導電部材が複数接続される電気コネクタの形態が実施されてもよい。
【０１０３】
（２）前述の実施形態では、スルーホールに圧入されてはんだ付けされることで基板に接続される基板接続部をコンタクトが有する形態を例にとって説明したが、この通りでなくてもよい。例えば、基板の表面に実装される基板接続部を有するコンタクトを備えた電気コネクタの形態が実施されてもよい。
【０１０４】
（３）前述の実施形態では、電気コネクタが、その高さ方向が基板の表面に対して垂直に延びた状態で基板に対して接続され、フレキシブル導電部材が、基板の表面に対して垂直な方向に沿って電気コネクタに挿入されて電気コネクタに接続される形態を例にとって説明したが、この通りでなくてもよい。電気コネクタが、その高さ方向が基板の表面に対して平行に延びた状態で基板に対して接続され、フレキシブル導電部材が、基板の表面に対して平行な方向に沿って電気コネクタに挿入されて電気コネクタに接続される形態が実施されてもよい。
【０１０５】
（４）前述の実施形態では、位置決め部が、頭頂面が設けられた隆起部と、斜面と、を含み、斜面が第１部分に含まれ、頭頂面が第２部分に含まれ、斜面と頭頂面とがスライド移動方向に沿って並ぶように配置され、斜面が頭頂面に対して基板から離れた側に配置された形態の電気コネクタを例にとって説明したが、この通りでなくてもよい。
【０１０６】
例えば、位置決め部が、ハウジングの内部に設けられているとともにコンタクト側に向かって隆起した頭頂部と、頭頂部の両側に配置された第１斜面及び第２斜面と、を含み、第１斜面が第１部分に含まれ、第２斜面が第２部分に含まれ、第１斜面と第２斜面とが、ハウジングがコンタクトに対して相対変位してスライド移動する方向に沿って並ぶように配置され、第１斜面が第２斜面に対して基板から離れた側に配置されて構成された形態の電気コネクタが実施されてもよい。
【０１０７】
上記の構成によると、ハウジングにおいて、コンタクト側に向かって隆起した頭頂部と、頭頂部の両側でハウジングのコンタクトに対するスライド移動方向に沿って並んで配置された第１部分の第１斜面及び第２部分の第２斜面とを設けることで、位置決め部を構成することができる。よって、頭頂部を中心としてハウジングのコンタクトに対するスライド移動方向の両側に傾斜する２つの斜面を設けた簡素な構成で、第１位置と第２位置との２つの位置でハウジングをコンタクト及び基板に対して容易に位置決めすることができる位置決め部を構成することができる。
【０１０８】
（５）前述の実施形態では、スライド範囲規制機構が、ハウジングに設けられた第１係合部と、コンタクトに設けられた第２係合部とを含み、第２係合部が、ハウジングが基板から離間する方向に向かってコンタクトに対して第１位置の状態からスライド移動して相対変位して第２位置の状態に到達した際に第１係合部に当接して係合するように構成されている形態の電気コネクタを例にとって説明したが、この通りでなくてもよい。
【０１０９】
例えば、スライド範囲規制機構が、コンタクトに設けられた長孔と、ハウジングに設けられた係合部と、を備え、長孔が、ハウジングがコンタクトに対して相対変位してスライド移動する方向に沿って延びるように設けられ、係合部が、長孔に対して遊嵌状態で嵌まり込む凸部を有するとともに、凸部が長孔の縁部と当接して係合することで、ハウジングとコンタクトとが相対変位してスライド移動する範囲を規制するように構成された形態の電気コネクタが実施されてもよい。
【０１１０】
上記の構成によると、ハウジングの係止部に設けられた凸部が、コンタクトに設けられてコンタクトとハウジングとの相対スライド方向に沿って延びる長孔に遊嵌状態で嵌まり込む。そして、凸部が長孔の縁部と当接することで、コンタクトとハウジングとの相対的なスライド移動範囲が規制される。よって、ハウジング及びコンタクトに設けられて、ハウジングとコンタクトとが相対変位してスライド移動する範囲を規制するスライド範囲規制機構を、ハウジングの凸部とコンタクトの長孔とを含む簡素な構造により実現することができる。また、スライド範囲規制機構が、ハウジングの凸部とコンタクトの長孔とを含む簡素な構造のため、コンパクトで省スペースなスライド範囲規制機構を実現することができる。
【産業上の利用可能性】
【０１１１】
本発明は、導体及びその導体の周囲を被覆する絶縁被覆を有するフレキシブル導電部材と基板とを接続する電気コネクタとして、広く適用することができるものである。
【符号の説明】
【０１１２】
１              電気コネクタ
１１            ハウジング
１２            コンタクト
２３            導体挟持用内壁部
３１            基板接続部
３２            バネ接点部
３３            スライド範囲規制機構
１００          基板
１０１          フレキシブル導電部材
１０１ａ        導体
１０１ｃ        先端部分
【図１】
2019129054.tif 000003
【図２】
2019129054.tif 000004
【図３】
2019129054.tif 000005
【図４】
2019129054.tif 000006
【図５】
2019129054.tif 000007
【図６】
2019129054.tif 000008
【図７】
2019129054.tif 000009
【図８】
2019129054.tif 000010
【図９】
2019129054.tif 000011
【図１０】
2019129054.tif 000012